(57)【要約】  容器（１０）であって、内部表面と内部表面の反対側の外部表面を有する層（２０）と、この層内の窓（６０）であって、この窓は、容器（１０）に動作可能に関連づけられた布地しみ処理装置（７０）の少なくとも一部分を露呈し、布地しみ処理装置（７０）が、流体透過性接触基材（８０）を有し、接触基材（８０）の少なくとも一部分が、窓（６０）を通して視認可能である、窓（６０）とを有し、布地しみ処理装置（７０）が、第２側の反対側の第１側を有する支持層（１００）と、支持層の第２側に連結されることにより、界面活性剤を含有するしみ処理液体（９０）を包含するパウチ（１１２）を形成する、パウチ層（１１０）とを含み、流体透過性接触基材が、支持層の第１側に連結されている、容器。
2013531530.tif 000002
【特許請求の範囲】
【請求項１】
容器（１０）であって、
内部表面（３０）と、前記内部表面の反対側の外部表面（４０）とを有する層（２０）と、
前記層内の窓（６０）であって、前記窓は、前記容器に動作可能に関連づけられた布地しみ処理装置（７０）の少なくとも一部分を露呈し、前記布地しみ処理装置が、流体透過性接触基材（８０）を備え、前記接触基材の少なくとも一部が、前記窓を通して視認可能である、窓（６０）と、を備え、
前記布地しみ処理装置が、第２側（１０４）の反対側の第１側（１０２）を有する支持層（１００）と、前記支持層の前記第２側に連結されることにより、界面活性剤を含有するしみ処理液体（９０）を包含するパウチ（１１２）を形成する、パウチ層（１１０）とを含み、
前記流体透過性接触基材が、前記支持層の前記第１側に連結されている、容器。
【請求項２】
前記窓が、前記層内の開口である、請求項１に記載の容器。
【請求項３】
前記窓が、半透明フィルム（６２）である、請求項１に記載の容器。
【請求項４】
前記半透明フィルムが、実質的に透明である、請求項３に記載の容器。
【請求項５】
前記布地しみ処理装置が、基層（１４０）と、それに連結された半透明保護層（１３０）とを含むパッケージ内に収容されている、請求項１に記載の容器。
【請求項６】
前記半透明保護層が、実質的に透明である、請求項５に記載の容器。
【請求項７】
複数の前記布地しみ処理装置が、前記窓を通して可視である、請求項１〜６のうちのいずれか一項に記載の容器。
【請求項８】
前記層が、内部空間（３２）を画定し、前記しみ処理装置が、前記内部空間内に収容されている、請求項１〜７のうちのいずれか一項に記載の容器。
【請求項９】
前記基層が、前記しみ処理装置に関する使用説明書（１５０）を備える、請求項５に記載の容器。
【請求項１０】
前記使用説明書及び前記布地しみ処理が、前記基層の対向する側にある、請求項９に記載の容器。
【請求項１１】
前記層が、前記布地しみ処理装置の周りに巻かれている、請求項１〜７、９及び１０のうちのいずれか一項に記載の容器。
【請求項１２】
前記界面活性剤が、前記しみ処理液体の約０．０００１重量％〜約４重量％のレベルで存在する、請求項１〜１１のうちのいずれか一項に記載の容器。
【請求項１３】
前記しみ処理液体を前記パウチから前記接触基材に誘導するための開口を前記支持層内に作り出すことによって、前記しみ処理液体が前記接触基材に送達される、請求項１〜１２のうちのいずれか一項に記載の容器。
【発明の詳細な説明】
【技術分野】
【０００１】
布地しみ処理装置のための容器。
【背景技術】
【０００２】
布地からしみをふき取るための基材は、消費者に利用可能である。典型的には、このような基材は、しみ処理液体を有するパウチ中に収容されることで、消費者に使用されるまで、製造中に基材がパウチに封入される時点からしみ処理液体で湿潤された状態にある。しみ処理液体は、それらが分解し、形態を変え、又はしみ処理液体の他の成分と反応するという点で光反応性である化学成分を含有する場合もあり、パウチそれ自体と反応する化学成分を含有する場合もある。したがって、しみをふき取るためのこのような基材の包装用品の設計者は一般的に、しみ処理液体を包含するために、光分解を防止しかつ実質的に不活性な材料を提供する目的で、１つ以上のフォイル層又は金属化フィルムを備えるパッケージ内にふき取り材を包装する。典型的に用いられるパッケージは不透明であり、消費者は使用前に基材を見ることができない。消費者がパッケージを開けて基材をそこから取り出して初めて、製品の形態を洞察することができる。
【０００３】
おそらく、基材を外部に、しみ処理液体を包含するパウチの外側表面に添付して供給し、パウチがしみ処理液体の好適な化学的安定性をもたらすようにすることもできるだろう。この方法に関する問題点は、基材がその時に外部環境に曝され、汚れてしまう可能性があり得ることである。こうすると、布地のしみを処理するために汚れた基材が使用される可能性があり、実際は基材が汚れを付着させてしまい、消費者にとっては一層悪い状態となる。
【発明の概要】
【発明が解決しようとする課題】
【０００４】
これら制約を考慮すると、しみ処理装置の使用前に、消費者の衣類を処置するために使用される基材を消費者が見ることを可能にする、布地しみ処理装置のための容器への継続的な対処されていない要求がある。更に、しみ処理装置の使用前に、消費者の衣類を処置するために使用される基材を消費者が見ることを可能にする布地しみ処理装置のための容器が、基材の清浄性を更にもたらすことへの継続的な対処されていない要求がある。
【課題を解決するための手段】
【０００５】
容器であって、内部表面と、内部表面の反対側の外部表面とを有する層と、層内の窓であって、この窓は、容器に動作可能に関連づけられた布地しみ処理装置の少なくとも一部分を露呈し、この布地しみ処理装置が、流体透過性接触基材を備え、この接触基材の少なくとも一部が、窓を通して視認可能である、窓と、を有し、この布地しみ処理装置が、第２側の反対側の第１側を有する支持層と、支持層の第２側に連結されることにより、界面活性剤を含有するしみ処理液体を包含するパウチを形成する、パウチ層とを含み、流体透過性接触基材が、支持層の第１側に連結されている、容器。
【図面の簡単な説明】
【０００６】
【図１】しみ処理装置のための容器の概略図。
【図２】しみ処理装置の概略図。
【図３】基層上に据付けられたしみ処理装置の概略図。
【図４】基層上に据付けられたしみ処理装置の断面概略図。
【図５】図４で示された位置での断面における、しみ処理装置の周りに巻かれ得る層の概略図。
【図６】層がしみ処理装置の周囲に巻かれている容器の後側の概略図。
【発明を実施するための形態】
【０００７】
本明細書で使用するとき、用語「連結された」は、第１の部材が、第２の部材に直接又は間接に取り付けられているか又は接続され、ここでは第１の部材が第２の部材に直接又は間接に取り付けられている又は接続されている中間の部材に、取り付けられている又は接続されている状態を指す。
【０００８】
層２０から作られている容器１０が、図１に示されている。層２０は、内部表面３０と外部表面４０とを有する。層２０は、折りたたまれ、一緒に固定され得る。容器は、長さ１２、幅１４、及び高さ１６を有し得、これらのそれぞれが各々の寸法を有する。この容器は前面５０を有し得、いくつかの実施形態では、反対側の後面を有する。この容器は、上面５２を有し得、かつ反対側の底面を有し得る。この容器は、対向する側面５４を有し得る。この容器は、多面体を含む当該技術分野で既知の任意の形状であり得る。この多面体は、多面体のエンクロージャを画定することができる。層２０は、内部空間３２を画定することができ、しみ処理装置７０は、この内部空間３２内に収容され得る。
【０００９】
層２０は、厚紙、ダンボール、紙原料、高分子フィルム、又は他のこのような材料からなる材料、複合材料、及び／又は積層材料から構成され得る。層２０は、ポリエチレン、メタロセン、エチレンビニルアセテート、ＳＵＲＬＹＮ、ポリエチレンテレフタレート、ポリプロピレン、及び／又はナイロンを含み得る。
【００１０】
層２０は、窓６０を有し得る。この窓６０は、窓６０が層２０内の開口であるように、窓６０を連続的に包囲する層２０の一部によって画定され得る。窓６０は、布地しみ処理装置７０の少なくとも一部分を露呈することができる。窓６０は、層２０の背後に配置されたしみ処理装置７０を確認するために、容器１０の外部表面４０を観察するオブザーバに目視経路をもたらすことができる。
【００１１】
布地しみ処理装置７０が容器１０と共に配置される時点から消費者がしみ処理装置７０を容器１０から分離する時点まで、布地しみ処理装置が容器に結合されたままであるように、布地しみ処理装置７０は容器１０に動作可能に関連づけられ得る。しみ処理装置７０は、剥離可能な接着剤、ステープル、ピン、層２０のフラップで、又はしみ処理装置７０と容器１０との空間的関連性を維持する能力を有する任意の他のこのような構造で、容器１０に動作可能に関連づけられ得る。しみ処理装置７０は、容器内に収容され得る。
【００１２】
しみ処理装置７０は、接触基材８０を備えることができる。この接触基材８０は、高分子ウェブ及びセルロースウェブが挙げられる不織布繊維ウェブであり得る。この接触基材８０は、織布ウェブ、織布繊維ウェブ、多孔質発泡体、又は任意の他のこのような材料であり得る。接触基材８０は、マイクロファイバーを含む不織布、マイクロファイバーを含む織布、マイクロファイバーを含むループ状の織布、及びこれらの組み合わせからなる群から選択され得る。接触基材８０は、しみ処理液体９０の送達、布地上の汚れをこすり落とすための表面、及びしみ処理装置７０で処理される布地から汚れを浮き上がらせる可能性がある表面を提供する。しみ処理装置７０が容器１０に動作可能に関連づけられている場合でも、消費者が接触基材８０を観察することができるように、接触基材８０は、窓６０を通して視認可能である。１つの実施形態では、接触基材８０は、２．２デニールの繊維直径、５１ｍｍの繊維長さ、及び６０ｇ／ｍ２の坪量を有する、コード０２０と称される、ＥＳ  Ｆｉｂｅｒｖｉｓｉｏｎｓ／Ｃｈｉｓｓｏからのポリプロピレン／ポリエチレン７０／３０の中空１６セグメント化パイマイクロファイバーであり得る。１つの実施形態では、接触基材は、発泡体、繊維材料、フィルム、ブラシ、及びこれらの組み合わせからなる群から選択可能である。理論により拘束されるものではないが、処理対象の布地に粗表面を与える接触基材８０は、粗表面が布地からのしみの除去を促進することができるために、しみ処理を改善することができると考えられる。
【００１３】
布地しみ処理装置７０は、図２に示されるように、第２側１０４の反対側の第１側１０２を有する支持層１００を備えることができる。布地しみ処理装置７０は、支持層１００の第２側１０４に連結されたパウチ層１１０を有し得、これによって、しみ処理液体９０を包含するパウチ１１２を形成する。接着剤、糊、超音波接合、化学的接着、熱接着、及び融解接合を含むがこれらに限定されない、２つの材料を貼り合わせるための任意の既知の方法を使用して、パウチ層１１０は支持層１００に連結され得る。
【００１４】
パウチ層１１０は、単一層又は複数層の積層物であることができる。パウチ層１１０は箔を含むことができる。パウチ層１１０は、１２μｍの厚さのシート材料の層、接着剤層、及び０．０６ｍｍの厚さの線状低密度ポリエチレンの層であることができる。パウチ層１１０は白色であることができる。パウチ層１１０に意匠、使用方法、若しくは装飾的な外観を印刷又は他の方法で貼り付けることができる。パウチ層１１０は透明であることができる。パウチ層１１０は、１２μｍの厚さの金属化ポリエチレンテレフタレートシート材料の層、接着剤層、及び線状低密度ポリエチレンの層であることができる。パウチ層１１０は、１２μｍの厚さの銀又はアルミニウム箔、接着剤、０．００９ｍｍの厚さの銀又はアルミニウム箔、及び０．０５ｍｍの線状低密度ポリエチレンシート材料の層であることができる。
【００１５】
しみ処理装置７０は、米国特許第７，５０６，７６２  Ｂ２号で開示されているものなどの、分注パッケージであることができる。しみ処理装置７０は、米国特許公開第２００９／００７４５０２  Ａ１号で開示されているものなど、分注パッケージであることができる。
【００１６】
しみ処理液体９０は、パウチ層１１０と支持層１００の第２側１０４との間の空間によって画定されるパウチ１１２内に包含されている。しみ処理液体９０は、界面活性剤を含有することができる。界面活性剤は、非イオン性、アニオン性、カチオン性、両性界面活性剤及びこれらの混合物からなる群から選択されてもよい。特定の例には、エトキシル化アルコール又はプロポキシル化、エトキシル化アルコール及びこれらの硫酸塩、又はアルキルフェノール、アルキルカルボン酸塩、アルキル硫酸塩、アルキルスルホン酸塩、ＮａＡＥＳ、ＮＨ４ＡＥＳ、アルキル四級アンモニウム塩、アミンオキシド、及びこれらの混合物が挙げられる。界面活性剤は、しみ処理液体９０の約０．０００１重量％〜約４重量％のレベルでしみ処理液体９０中に存在することができる。
【００１７】
接触基材８０は、支持層１００の第１側１０２に連結され得る。接触基材８０は、テープ、糊、接着剤、若しくは他のこのような結合剤で支持層１００に連結され得、又は化学的接着、融解接合、若しくは他のこのような接合技術によって支持層１００に接合され得る。しみ処理装置７０が店のディスプレイに展示される場合、消費者が接触基材８０を観察できるように、接触基材８０が、窓６０に向けて配置され得る。不透明なフォイルラッパー内に包装されたふき取り材とは対照的に、しみ処理装置７０の販売時点及び使用前に接触基材８０が視認可能であるために、このことは、消費者が現在入手可能であるしみをふき取るための基材全体にわたる改善であり得る。基材８０が窓６０から離して配置される場合には、消費者がしみ処理装置の目的及び機能を理解する上で問題点となり得る。
【００１８】
接触基材８０は、しみをこすり落とすために消費者によって使用され得る。しみ処理液体９０は、支持層１００内に開口を作り、しみ処理液体９０をパウチ１１０から接触基材８０に誘導することによって接触基材８０に送達され得る。一実施形態では、支持層１００が接触基材８０から離れる方向に分割線の周りで曲げられた場合に支持層１００が壊れるように、支持層１００は、接触基材８０と概ね一直線に揃えられた破断可能な分割線を有し得る。支持層１００が分割線の周りで更に曲げられると同時に、しみ処理液体９０は、パウチ１１２から押し出され、接触基材８０に入る。次いで、消費者がしみ処理液体９０で湿潤されている接触基材８０で衣類のしみをこすり、それ自体に折りたたまれた支持層１００をグリップとして用いる。
【００１９】
１つの実施形態では、接触基材８０は、約０．１マイクロメートル〜約５マイクロメートルの直径を有する、マイクロファイバーを含むことができる。１つの実施形態では、接触基材８０は、約５マイクロメートル未満の直径を有する、マイクロファイバーを含むことができる。マイクロファイバーは、このようなマイクロファイバーの形成時に生じる鋭いファイバー縁を有する、刻み目付きパイマイクロファイバーであることができる。マイクロファイバーは、ステープルファイバー又は連続スプリットファイバーであることができる。マイクロファイバーは、スプリットポリプロピレン−ポリエチレンマイクロファイバーであることができる。
【００２０】
しみ処理装置７０は、長方形、正方形、円形、楕円形、三角形、五角形、六角形、台形、又は任意の他の人間工学的に好ましい形状を含む、任意の概ね平面的な形状を有し得る。しみ処理装置７０の平面的な形状は、格納するために便利であり、使用前及び使用中にしっかりと握ることが容易な、しみ処理装置７０をもたらすことができる。しみ処理装置の平面的寸法は、通常の財布サイズのクレジットカード若しくは財布サイズの写真の寸法であるか、又はそれらよりも小さい。
【００２１】
支持層１００は、ポリスチレン、ポリエチレン、ポリプロピレン、又は他の高分子材料などの薄いプラスチック材料を含む任意の好適な剛性材料から作製可能である。支持層１００は、保管中及び輸送中にしみ処理装置７０を実質的に平らな形状に維持するよう十分に剛性であり得る。いくつかの実施形態では、しみ処理装置７０は、札入れ、財布、おむつ袋、又はポケットに便利に適合するようなサイズ及び寸法とされる。支持層１００は、硬質スチレン、箔、ＢＡＲＥＸ（ＢＰ  Ｃｈｅｍｉｃａｌｓ  Ｉｎｃ．（Ｎａｐｅｒｖｉｌｌｅ，ＩＬ，ＵＳＡ）から入手可能）、ポリエチレン、ナイロン、ポリプロピレン、及び前出の材料の共押し出し物及び積層物、並びにこれらの組み合わせからなる群から選択される材料であることができる。支持層１００の厚さは、約２ｍｍ未満であることができ、可能性としては約１ｍｍ未満であることができ、可能性としては約０．１ｍｍ〜約０．５ｍｍであることができる。支持層１００は、約３ｃｍ〜約１０ｃｍの長さ及び約２ｃｍ〜約６ｃｍの幅を有することができる。家庭での用途として設計されるパッケージ１０のために、より大きな支持層１００が採用されてもよい。
【００２２】
窓６０は、図３に示されているような半透明フィルム６２であることができる。半透明とは、ヒトがフィルム６２を通してしみ処理装置７０を見ることができるという意味である。半透明フィルム６２によって、見る者が窓６０を通して知覚するしみ処理装置７０及び装置の任意の構成要素の色が変わることがあり、及び／又は窓６０を通して知覚される像がゆがめられることがある。窓６０は、実質的に透明なフィルム６２であることができる。実質的に透明とは、窓６０を通して見られる場合に、フィルム６２が、しみ処理装置７０の像を実質的に変更しないことを意味する。窓６０として半透明フィルム６２又は実質的に透明なフィルム６２を用いることで、しみ処理装置７０が外部環境に曝されることを防止し得る。フィルム６２が窓６０として使用される場合、窓６０を画定するために、材料が層２０から取り除かれ得（又は窓の所望の位置に材料が存在しないように製造される）、フィルムが接着剤を用いて、層２０の内部表面３０に取り付けられ得る。
【００２３】
図４に示されているように、しみ処理装置７０は、基層１４０とそれに連結された保護層１３０とで構成されるパッケージ内に包含され得、これがブリスターパックを形成し、しみ処理装置７０は基層１４０と保護層１３０との間に存在する。製造業者による包装化の時点から消費者による使用の時点まで、保護層１３０が接触基材８０の汚染を低減又は防止することが可能であるために、窓６０が遮断されない層２０内の開口によって画定される場合には、このような構成は実用的であり得る。保護層１３０は半透明であることができる。保護層１３０は透明であることができる。保護層１３０は、実質的に透明であることができる。保護層１３０は、接着剤、糊、又は材料の２つの層を連結するために好適である任意の他のこのような接着方法を用いて、基層１４０に連結され得る。保護層１３０は、高密度ポリエチレン、ポリプロピレン、ナイロン、又はその材料を通して、保護層１３０の一方側の物体が保護層１３０の他方側から見ることができる任意の他のこのような材料から作製され得る。それぞれのしみ処理装置７０は、しみ処理装置７０を保護している任意の他の保護層１３０から分離された又は分離可能である保護層１３０によって保護され得る。
【００２４】
基層１４０は、しみ処理装置７０に関する使用説明書１５０を備えることができる。基層１４０上に使用説明書１５０を備えることで、基層１４０及びそれに連結された保護層１３０によってもたらされた保護的環境からしみ処理装置を取り外してしまう前に、消費者がしみ処理装置の使用に精通することができる。したがって、消費者が自分の衣類にしみを付けてしまった場合、消費者は、そのしみ処理装置７０がどのように使用されるべきか熟慮することなく、迅速にしみ処理装置７０を配置することができる。使用説明書１５０及びしみ処理装置７０は、基層１４０の反対側に存在し得る。使用説明書１５０は、しみ処理装置７０の使用についての図式表示及び／又は文章説明であることができる。
【００２５】
図４に示した断面が、図５に示される。図５に示されているように、保護層１３０及び基層１４０は、それらが一緒にしみ処理装置７０を封入することができるポケット１３３を画定し得るように、連結され得る。１つ以上のしみ処理装置７０が、ポケット１３３内に封入され得る。パウチ層１１０は、接着剤、剥離可能な接着剤、糊、又は２つの材料を連結するための他の既知の材料又は技術によって、基層１３０に連結され得る。それぞれがしみ処理装置７０を基層１４０の一部分と保護層１３０との間に収容する個々のポケットが、互いに取り外し可能に分離できるように、基層１４０は、１本以上の脆弱な線を有することができる。脆弱な線は、分割線、穿孔、脆い線などが挙げられる構造であり得るが、これに限定されない。
【００２６】
図６に示されるように、層２０は、１つ以上のしみ処理装置７０の周りを包むようにサイズ決め及び寸法決めされ得、この矢印は折り畳み（単回又は複数回）の方向を示している。巻き付けるフラップ１６０は、しみ処理装置７０の周りに巻かれ、製造時から消費者によって使用される時点まで、しみ処理装置が層２０に動作可能に関連づけられたままである方法で、しみ処理装置７０を収容することができる。巻き付けるフラップ１６０は、１本以上の折り線１６２の周りでしみ処理装置７０の周囲に巻きつけられ得る。巻き付けるフラップ１６０は、基層１４０及び保護層１３０又は複数の保護層の周りに巻かれ得る。巻き付けるフラップ１６０が、処理装置７０又は基層１４０及びしみ処理装置７０を保護する保護層１３０の周りに一旦巻かれると、層２０の内部表面３０が、それ自体に取り付けられて、容器１０の構造を維持することができる。
【００２７】
１つ以上のしみ処理装置７０が、窓６０を通して視認可能である。このような構成は、容器１０内に収容されているであろうしみ処理装置７０の量の視覚的な手掛かりをもたらすことが可能である。
【００２８】
特に指示のない限り、本明細書で使用される全ての百分率及び比率は、全組成物の重量を基準とし、かつ全ての測定は２５℃にて行われる。１角度は、完全回転の１／３６０に等しい大きさの角度指標の平面単位である。
【００２９】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのような全ての変更及び修正を添付の特許請求の範囲で扱うものとする。
【００３０】
引用される全ての文献は、その関連部分において参照により本明細書に組み込まれるが、いずれの文献の引用もそれが本発明に関連する先行技術であることの容認として解釈されるべきではない。
【図１】
2013531530.tif 000003
【図２】
2013531530.tif 000004
【図３】
2013531530.tif 000005
【図４】
2013531530.tif 000006
【図５】
2013531530.tif 000007
【図６】
2013531530.tif 000008
【国際調査報告】
2013531530.tif 000009
2013531530.tif 000010